(57)【要約】【課題】それまでに表示されていた作業指示が消去されていることを認識することが可能な情報処理装置を提供する。【解決手段】作業台Ｗに表示させるべき作業指示を各作業台Ｗに管理サーバＳＶから送信すると共に、各作業台Ｗにおいて表示されているコード情報であって各作業台Ｗを示す識別情報であるコード情報をコードリーダＣＲで読み取った読取データを管理サーバＳＶにおいて取得し、その読取データに含まれるコード情報を記録する。このとき、各作業台Ｗにおいては、管理サーバＳＶからの作業指示の取得後に、ディスプレイＤ上の表示がコード情報のみの表示に切り換えられた後、上記取得した作業指示のみの表示に更に切り換えられる。この場合にコード情報が、管理サーバＳＶからの作業指示とは異なり且つ作業台Ｗ自体に記録されている情報に基づくコード情報とされる。【選択図】図１
2016057955.tif 000002
【特許請求の範囲】
【請求項１】
表示装置に表示させるべき表示情報を当該表示装置に出力する出力手段と、
前記表示情報の出力後、前記表示装置を示す識別情報であり且つ当該表示装置において表示されているコード情報を当該表示装置外から読み取った読取情報を取得する読取情報取得手段と、
前記取得した読取情報を記録する記録手段と、
を備え、
前記表示装置においては、前記出力された表示情報の取得後に前記コード情報のみの表示に切り換えられた後、当該表示情報のみの表示に更に切り換えられ、
更に前記コード情報が、前記表示情報とは異なり且つ前記表示装置に記録されている情報に基づくコード情報であることを特徴とする情報処理装置。
【請求項２】
請求項１に記載の情報処理装置に接続される前記表示装置であって、
表示手段と、
前記表示情報を前記情報処理装置から取得する表示情報取得手段と、
前記表示情報を取得したとき、前記コード情報のみを前記表示手段に表示した後、当該取得した表示情報の表示に切り換える表示制御手段と、
を備えることを特徴とする表示装置。
【請求項３】
表示装置に表示させるべき表示情報を当該表示装置に出力する出力工程と、
前記表示情報の出力後、前記表示装置を示す識別情報であり且つ当該表示装置において表示されているコード情報を当該表示装置外から読み取った読取情報を取得する読取情報取得工程と、
前記取得した読取情報を記録手段に記録する記録工程と、
を含み、
前記表示装置においては、前記出力された表示情報の取得後に前記コード情報のみの表示に切り換えられた後、当該表示情報のみの表示に更に切り換えられ、
更に前記コード情報が、前記表示情報とは異なり且つ前記表示装置に記録されている情報に基づくコード情報であることを特徴とする情報処理方法。
【請求項４】
請求項１に記載の情報処理装置に接続され、且つ表示手段を備える表示装置において実行される表示制御方法であって、
前記表示情報を前記情報処理装置から取得する表示情報取得工程と、
前記表示情報を取得したとき、前記コード情報のみを前記表示手段に表示した後、当該取得した表示情報の表示に切り換える表示制御工程と、
を含むことを特徴とする表示制御方法。
【請求項５】
表示装置に接続された情報処理装置に含まれるコンピュータを、
前記表示装置に表示させるべき表示情報を当該表示装置に出力する出力手段、
前記表示情報の出力後、前記表示装置を示す識別情報であり且つ当該表示装置において表示されているコード情報を当該表示装置外から読み取った読取情報を取得する読取情報取得手段、及び、
前記取得した読取情報を記録手段に記録する記録制御手段、
として機能させる情報処理用プログラムであって、
前記表示装置においては、前記出力された表示情報の取得後に前記コード情報のみの表示に切り換えられた後、当該表示情報のみの表示に更に切り換えられ、
更に前記コード情報が、前記表示情報とは異なり且つ前記表示装置に記録されている情報に基づくコード情報であることを特徴とする情報処理用プログラム。
【請求項６】
請求項１に記載の情報処理装置に接続される前記表示装置であって、表示手段を備える表示装置に含まれるコンピュータを、
前記表示情報を前記情報処理装置から取得する表示情報取得手段、及び、
前記表示情報を取得したとき、前記コード情報のみを前記表示手段に表示した後、当該取得した表示情報の表示に切り換える表示制御手段、
として機能させることを特徴とする表示制御用プログラム。
【発明の詳細な説明】
【技術分野】
【０００１】
本発明は、情報処理装置、情報処理方法及び情報処理用プログラム、並びに表示装置、表示制御方法及び表示制御用プログラムの技術分野に属する。より詳細には、必要な情報を表示する処理を含む情報処理を行う情報処理装置、情報処理方法及び情報処理装置用のプログラム、並びに表示装置、表示制御方法及び表示装置用のプログラムの技術分野に属する。
【背景技術】
【０００２】
従来、複数の工程を含む流れ作業により対象物を組み立て等する製造ラインの場合、各工程を行う作業員に対する作業指示を、当該各工程の実行場所にそれぞれ設置したディスプレイ等に表示することが行われている。このような従来の技術に関する先行技術文献としては、例えば下記特許文献１が挙げられる。
【０００３】
この特許文献１に開示されている技術では、それぞれの工程を行う複数の作業エリアを含む製造現場等において、作業エリアごとに設置されたアンテナにより、その作業エリアを担当する端末の所在を検出する。そして、検出された端末に対して、それが属する作業エリアごとの作業指示書に相当する情報をサーバから送信する構成とされている。このとき当該端末は、電子ペーパーを用いて上記情報を表示するディスプレイを備えている。これらにより特許文献１に開示されている技術では、作業者に提示される作業指示書を作業エリアごとに書き換えるシステムが構成されている。
【先行技術文献】
【特許文献】
【０００４】
【特許文献１】特許４３４３０２８号公報
【発明の概要】
【発明が解決しようとする課題】
【０００５】
ここで、上記特許文献１に開示されている技術に含まれている上記電子ペーパーは、電源供給無しで作業指示書の表示が維持可能であるという特徴を備える。しかしながら一方で、新たな作業指示書に書き換える際に何らかの理由で書き換えミスが生じたとすると、それまで表示されていた作業指示書（直前に書き換えられた作業指示書）の表示が維持されてしまう場合がある。そしてこの場合に、最新の作業指示書が表示される準備としての、直前まで表示されている作業指示書の消去が行われているか否か（言い換えれば、将来的な書き換えミス発生の可能性）を確認する手段については、上記特許文献１には開示も示唆もない。他方、このような不完全な消去による書き換えミスは、最終的には、例えば前の工程用の作業指示等、誤った作業指示が作業員に伝わってしまうという事態を引き起こし得るのであり、結果的に、製造ラインにおける歩留まりの低下や、製造ラインそのものの一時停止等を招来し得るという問題点を生じる。
【０００６】
そこで本発明は、上記の各問題点に鑑みて為されたもので、その課題は、それまでに表示されていた作業指示が消去されていることを認識することが可能な情報処理装置、情報処理方法及び情報処理装置用のプログラム、並びに表示装置、表示制御方法及び表示装置用のプログラムを提供することにある。
【課題を解決するための手段】
【０００７】
上記の課題を解決するために、請求項１に記載の発明は、作業台等の表示装置に表示させるべき表示情報を当該表示装置に出力する無線インターフェース等の出力手段と、前記表示情報の出力後、前記表示装置を示す識別情報であり且つ当該表示装置において表示されているコード情報を当該表示装置外から読み取った読取情報を取得する有線インターフェース等の読取情報取得手段と、前記取得した読取情報を記録する記録部等の記録手段と、を備え、前記表示装置においては、前記出力された表示情報の取得後に前記コード情報のみの表示に切り換えられた後、当該表示情報のみの表示に更に切り換えられ、更に前記コード情報が、前記表示情報とは異なり且つ前記表示装置に記録されている情報に基づくコード情報であるように構成される。
【０００８】
上記の課題を解決するために、請求項３に記載の発明は、作業台等の表示装置に表示させるべき表示情報を当該表示装置に出力する出力工程と、前記表示情報の出力後、前記表示装置を示す識別情報であり且つ当該表示装置において表示されているコード情報を当該表示装置外から読み取った読取情報を取得する読取情報取得工程と、前記取得した読取情報を記録部等の記録手段に記録する記録工程と、を含み、前記表示装置においては、前記出力された表示情報の取得後に前記コード情報のみの表示に切り換えられた後、当該表示情報のみの表示に更に切り換えられ、更に前記コード情報が、前記表示情報とは異なり且つ前記表示装置に記録されている情報に基づくコード情報であるように構成される。
【０００９】
上記の課題を解決するために、請求項５に記載の発明は、作業台等の表示装置に接続された情報処理装置に含まれるコンピュータを、前記表示装置に表示させるべき表示情報を当該表示装置に出力する出力手段、前記表示情報の出力後、前記表示装置を示す識別情報であり且つ当該表示装置において表示されているコード情報を当該表示装置外から読み取った読取情報を取得する読取情報取得手段、及び、前記取得した読取情報を記録部等の記録手段に記録する記録制御手段、として機能させる情報処理用プログラムであって、前記表示装置においては、前記出力された表示情報の取得後に前記コード情報のみの表示に切り換えられた後、当該表示情報のみの表示に更に切り換えられ、更に前記コード情報が、前記表示情報とは異なり且つ前記表示装置に記録されている情報に基づくコード情報であるように構成される。
【００１０】
請求項１、請求項３又は請求項５のいずれか一項に記載の発明によれば、表示させるべき表示情報の表示装置への出力後、その表示装置を示す識別情報であり且つ当該表示装置において表示されているコード情報を表示装置外から読み取った読取情報を取得し、それを記録する。このとき表示装置においては、表示情報の取得後にコード情報のみの表示に切り換えられた後、当該表示情報のみの表示に更に切り換えられる。更にコード情報が、表示情報とは異なり且つ表示装置に記録されている情報に基づくコード情報とされる。よって、表示装置においてコード情報のみが表示されていることが情報処理装置において認識できるので、コード情報の表示までに表示されていた他の情報が消去されていることを情報処理装置において認識することができる。
【００１１】
上記の課題を解決するために、請求項２に記載の発明は、請求項１に記載の情報処理装置に接続される前記表示装置であって、ディスプレイ等の表示手段と、前記表示情報を前記情報処理装置から取得する無線インターフェース等の表示情報取得手段と、前記表示情報を取得したとき、前記コード情報のみを前記表示手段に表示した後、当該取得した表示情報の表示に切り換えるＣＰＵ等の表示制御手段と、を備える。
【００１２】
上記の課題を解決するために、請求項４に記載の発明は、請求項１に記載の情報処理装置に接続され、且つディスプレイ等の表示手段を備える表示装置において実行される表示制御方法であって、前記表示情報を前記情報処理装置から取得する表示情報取得工程と、前記表示情報を取得したとき、前記コード情報のみを前記表示手段に表示した後、当該取得した表示情報の表示に切り換える表示制御工程と、を含む。
【００１３】
上記の課題を解決するために、請求項６に記載の発明は、請求項１に記載の情報処理装置に接続される前記表示装置であって、ディスプレイ等の表示手段を備える表示装置に含まれるコンピュータを、前記表示情報を前記情報処理装置から取得する表示情報取得手段、及び、前記表示情報を取得したとき、前記コード情報のみを前記表示手段に表示した後、当該取得した表示情報の表示に切り換える表示制御手段、として機能させる。
【００１４】
請求項２、請求項４又は請求項６のいずれか一項に記載の発明によれば、情報処理装置から表示情報を取得したとき、コード情報のみを表示した後、取得した表示情報の表示に切り換えるので、コード情報の表示までに表示されていた他の情報が消去されていることを情報処理装置に認識させることができる。
【発明の効果】
【００１５】
本発明によれば、表示させるべき表示情報の表示装置への出力後、その表示装置において表示されているコード情報を表示装置外から読み取った読取情報を取得し、それを記録する。このとき表示装置においては、表示情報の取得後にコード情報のみの表示に切り換えられた後、当該表示情報のみの表示に更に切り換えられる。更にコード情報が、表示情報とは異なり且つ表示装置に記録されている情報に基づくコード情報とされる。
【００１６】
従って、表示装置においてコード情報のみが表示されていることが情報処理装置において認識できるので、コード情報の表示までに表示されていた他の情報が消去されていることを、情報処理装置において認識することができる。
【図面の簡単な説明】
【００１７】
【図１】実施形態に係る作業指示システム全体の概要構成を示す図である。
【図２】実施形態に係る作業指示システムにおける一工程分の概要構成等を示す図であり、（ａ）は当該概要構成を示す図であり、（ｂ）は当該一工程における表示状態の変化を例示する図である。
【図３】実施形態に係る管理サーバの概要構成を示すブロック図である。
【図４】実施形態に係る作業台の概要構成を示すブロック図である。
【図５】実施形態に係る作業指示処理を示すフローチャートである。
【発明を実施するための形態】
【００１８】
次に、本発明を実施するための形態について、図１乃至図５を用いて説明する。なお以下に説明する実施形態は、例えば液晶ディスプレイについて流れ作業により塗装又は組み立て等を行う製造ラインにおいて、その作業を行う作業員に対する作業指示を行う作業指示システムに対して本発明を適用した場合の実施の形態である。更に以下の説明において、上記塗装又は組み立て等を、単に「組み立て等」と称する。
【００１９】
また、図１は実施形態に係る作業指示システム全体の概要構成を示す図であり、図２は当該作業指示システムにおける一工程分の概要構成等を示す図である。更に、図３は実施形態に係る管理サーバの概要構成を示すブロック図であり、図４は実施形態に係る作業台の概要構成を示すブロック図であり、図５は実施形態に係る作業指示処理を示すフローチャートである。
【００２０】
図１に示すように、実施形態に係る作業指示システムＳが備えられている製造ラインＬは、上記作業員による組み立て等の対象となる半製品ＯＢを搭載しつつ各工程間を移動する作業台Ｗ１、作業台Ｗ２、作業台Ｗ３、…、作業台Ｗｎ（ｎは自然数。以下、同様。）を備えている。これら作業台Ｗ１、作業台Ｗ２、作業台Ｗ３、…、作業台Ｗｎは、例えば図１に例示する工程Ａから工程○○まで移動することで各工程が一巡すると、それまで搭載していた半製品ＯＢが卸下され、新たな半製品ＯＢが再搭載された後、元の工程Ａが実行される位置まで移動される。以上の流れが周回的に繰り返されることにより、製造ラインＬ上において、複数の半製品ＯＢに対して必要な組み立て等が作業員により施される。なお以下の説明において、作業台Ｗ１、作業台Ｗ２、作業台Ｗ３、…、作業台Ｗｎに共通する事項を説明する場合、これらを纏めて単に「作業台Ｗ」と称する。
【００２１】
これに加えて製造ラインＬは、図１に示すように、各作業台Ｗへの例えば無線によるデータの送信が可能な管理サーバＳＶと、各工程に設けられ且つ管理サーバＳＶに対する例えば有線によるデータの送信が可能なコードリーダＣＲ１、コードリーダＣＲ２、コードリーダＣＲ３、…、コードリーダＣＲｎと、を備えている。なお以下の説明において、コードリーダＣＲ１、コードリーダＣＲ２、コードリーダＣＲ３、…、コードリーダＣＲｎに共通する事項を説明する場合、これらを纏めて単に「コードリーダＣＲ」と称する。ここで、各作業台Ｗとの間を有線により接続するように構成してもよいし、また管理サーバＳＶとコードリーダＣＲとの間を無線で接続するように構成することもできる。更に、上記管理サーバＳＶが本発明に係る「情報処理装置」の一例に相当し、各作業台Ｗのそれぞれが本発明に係る「表示装置」の一例に相当する。
【００２２】
一方各作業台Ｗは、例えば電子ペーパーを表示媒体とするディスプレイＤ１、ディスプレイＤ２、ディスプレイＤ３、…、ディスプレイＤｎを備える。なお以下の説明において、ディスプレイＤ１、ディスプレイＤ２、ディスプレイＤ３、…、ディスプレイＤｎに共通する事項を説明する場合、これらを纏めて単に「ディスプレイＤ」と称する。また当該ディスプレイＤが、本発明に係る「表示手段」の一例に相当する。各作業台ＷのディスプレイＤには、後述するように、対応する作業台Ｗが位置する工程において作業員により実行されるべき組み立て等の作業の内容を指示する作業指示ＩＴ１、作業指示ＩＴ２、作業指示ＩＴ３、…、作業指示ＩＴｎが、それぞれ表示される。各工程を実行する作業員は、当該ディスプレイＤに表示される作業指示ＩＴ１等を見ながら、当該作業指示ＩＴ１等により示されている内容に対応した実際の組み立て等の作業を実行する。
【００２３】
ここで、上記作業指示ＩＴ１等に相当する作業指示データは、上記管理サーバＳＶから作業台Ｗごとに送信され、これを対応する各作業台Ｗにおいて受信することで、それに相当する作業指示ＩＴ１等をディスプレイＤに表示する。なお以下の説明において、作業指示ＩＴ１、作業指示ＩＴ２、作業指示ＩＴ３、…、作業指示ＩＴｎに共通する事項を説明する場合、これらを纏めて単に「作業指示ＩＴ」と称する。
【００２４】
以上の構成を備える作業指示システムＳにおいて、いずれかの作業台Ｗが、図２（ａ）に例示する工程ごとの書き換え領域ＡＲまで移動すると、書き換え後の作業指示ＩＴに相当する上記作業指示データが管理サーバＳＶからその作業台Ｗに送信され、これにより作業台Ｗごとに、ディスプレイＤ上に表示されている作業指示ＩＴの書き換え又は新規書き込みが行われる。この工程ごとの書き換え領域ＡＲは、ディスプレイＤ上の作業指示が当該工程用の作業指示に書き換えられるべき書き換え領域であり、通常はその工程への入口に相当する領域に設けられている。なお以下の説明においては、上記作業指示ＩＴの書き換え又は新規書き込みを、纏めて「作業指示ＩＴの書き換え」と称する。
【００２５】
次に、実施形態に係る作業台Ｗにおける作業指示ＩＴの書き換えについて、より具体的に説明する。即ち、実施形態に係る作業台Ｗが図２（ａ）に例示される書き換え領域ＡＲまで移動してくると、図２（ｂ）に例示するように、その書き換え領域ＡＲに移動してくるまでにディスプレイＤ上に表示されていた作業指示ＩＴｎ−１が一旦コード情報ＣＤに書き換えられ、その後、当該書き換え領域ＡＲにおける書き換え後の作業指示ＩＴｎに再度書き換えられる。換言すると、書き換え領域ＡＲに移動してくるまでの作業指示ＩＴｎ−１がディスプレイＤ上から消去された後、コード情報ＣＤが新たに書き込まれ、その後所定時間経過後に当該コード情報ＣＤが消去された後、更に作業指示ＩＴｎが新たに書き込まれる。実施形態に係る作業台Ｗにおける作業指示ＩＴの書き換えは、書き換え領域ＡＲごとに上記の二段階の書き換えが行われる。ここで上記コード情報ＣＤは、図２（ｂ）に例示するように、例えばバーコード又は二次元バーコード化されるコード情報であり、そのコード情報ＣＤが表示されるディスプレイＤを含む作業台Ｗ内の後述するメモリ１３に元々記録されていたコード情報である。即ちコード情報ＣＤは管理サーバＳＶから送信されてきた作業指示データとは異なる情報である。そして、コード情報ＣＤとしての内容は、例えばコード情報ＣＤが表示されるディスプレイＤを含む作業台Ｗを他の作業台Ｗから識別するための識別データ、又はそのディスプレイＤの表示の書換えのための電力を供給する例えば図示しないバッテリの残量を示すデータ、のいずれか又は双方である。
【００２６】
一方、当該表示が二段階に書き換えられるディスプレイＤを備える作業台Ｗが位置している工程のコードリーダＣＲ（図２（ａ）参照）は、一度目の書き換え後のコード情報ＣＤをディスプレイＤ上において検出したら、このコード情報ＣＤをディスプレイＤ外から読み取り、その読み取り結果に相当する読取データを例えば有線により管理サーバＳＶに送信する。なおコードリーダＣＲは、コード情報ＣＤから更に書き換えられた後の作業指示ＩＴｎ（図２（ｂ）参照）は読み取らない。このためコードリーダＣＲは、バーコード等を含むコード情報ＣＤの存在自体を検出する機能を備えており、コード情報ＣＤがディスプレイＤ上に表示されているタイミングでのみ、当該コード情報ＣＤを読み取って上記読取データを出力する。このため、ディスプレイＤ上で上記コード情報が表示されている上記所定時間は、例えば上記コードリーダＣＲにおけるコード情報ＣＤの検出機能と作業台Ｗの移動速度との関係等に基づき、コードリーダＣＲにおいて、コード情報ＣＤを確実に読み取ることができ、且つ読み取った上記読取データを送信できるために必要な所定時間とされる。そして、上記読取データを受信した管理サーバＳＶは、これを例えば所定のログとして記録する。これにより管理サーバＳＶは、各書き換え領域ＡＲにおいて、直前までディスプレイＤ上に表示されていた作業指示ＩＴが消去されてコード情報ＣＤが表示されたことを認識できると共に、そのコード情報ＣＤが表示された作業台Ｗを識別し且つ上記バッテリの残量等を認識できることになる。
【００２７】
次に、実施形態に係る作業指示システムＳの構成及び動作について、より具体的に図１乃至図５を用いて説明する。
【００２８】
初めに、実施形態に係る作業指示システムＳに含まれる管理サーバＳＶの細部構成及び動作について、図３を用いて説明する。
【００２９】
図３に示すように、実施形態に係る管理サーバＳＶは、無線インターフェース１Ｗと、有線インターフェース１Ｌと、ＣＰＵ２と、ハードディスク又はＲＯＭ（Read Only Memory）等の不揮発性領域及びＲＡＭ（Random Access Memory）等の揮発性領域を備える記録部３と、キーボード及びマウス等からなる操作部４と、液晶ディスプレイ等からなるディスプレイ５と、により構成されている。このとき、有線インターフェース１Ｌが本発明に係る「読取情報取得手段」の一例に相当し、無線インターフェース１Ｗが本発明に係る「出力手段」の一例に相当し、記録部３が本発明に係る「記録手段」の一例に相当する。
【００３０】
以上の構成において無線インターフェース１Ｗは、ＣＰＵ２の制御の下、各作業台Ｗへの上記作業指示データの無線による送信を制御する。一方有線インターフェース１Ｌは、ＣＰＵ２の制御の下、各コードリーダＣＲからコード情報ＣＤを読み取った上記読取データを取得する。
【００３１】
他方記録部３には、読取データとしてコードリーダＣＲから取得されたコード情報ＣＤが、例えば不揮発性に記録される。このコード情報ＣＤが記録されることにより、上述した、そのコード情報ＣＤが表示された作業台ＷのディスプレイＤ上に直前まで表示されていた作業指示ＩＴ（図２（ｂ）に例示する作業指示ＩＴｎ−１）が消去されたこと、及びそのコード情報ＣＤが表示された作業台Ｗの上記バッテリの残量等が、それぞれ認識できることになる。これに加えて記録部３には、各作業台Ｗに送信すべき作業指示データが、例えば各工程の書き換え領域ＡＲの識別情報に対応付けて記録されている。
【００３２】
そしてＣＰＵ２は、操作部４における指示操作に基づき、実施形態に係る作業指示処理を統括制御する。具体的にＣＰＵ２は、記録部３に記録されている上記作業指示データを、無線インターフェース１Ｗを介して、当該作業指示データに相当する作業指示ＩＴが表示されるべき作業台Ｗに対して送信する。
【００３３】
そして、この作業指示データを受信した作業台ＷのディスプレイＤでは、図２（ｂ）に例示する順序により、直前までディスプレイＤ上に表示されていた作業指示ＩＴｎ−１のコード情報ＣＤへの書き換え、及び、コード情報ＣＤから作業指示ＩＴｎに再書き換えが、順次行われる。
【００３４】
一方、前後の作業指示ＩＴの間でディスプレイＤに表示されているコード情報ＣＤは、そのディスプレイＤが備えられている作業台Ｗが位置する工程のコードリーダＣＲ（図２（ａ）参照）により読み取られ、その読取データが有線インターフェース１Ｌを介してＣＰＵ２に送信される。これによりＣＰＵ２は、このコード情報ＣＤを上記所定のログとして記録部３に記録する。これにより管理サーバＳＶでは、直前までディスプレイＤ上に表示されていた作業指示ＩＴが消去されたことが認識できると共に、コード情報ＣＤが表示された作業台Ｗを識別しつつ、上記バッテリの残量等を認識できる。
【００３５】
次に、実施形態に係る作業指示システムＳに含まれる作業台Ｗの細部構成及び動作について、図４を用いて説明する。なお図４においては、製造ラインＬを構成する作業台Ｗのうち、実施形態に係る作業台Ｗとしての機能発揮に必要な構成部材のみを例示している。
【００３６】
図４に示すように、実施形態に係る各作業台Ｗはそれぞれ、無線インターフェース１０と、ＣＰＵ１１と、不揮発性領域及び揮発性領域を備えるメモリ１３と、操作ボタン等からなる操作部１２と、例えば電子ペーパーを表示媒体とする上記ディスプレイＤと、により構成されている。このとき、無線インターフェース１０が本発明に係る「表示情報取得手段」の一例に相当し、ＣＰＵ１１が本発明に係る「表示制御手段」の一例に相当する。
【００３７】
以上の構成において無線インターフェース１０は、ＣＰＵ１１の制御の下、管理サーバＳＶからの上記作業指示データの無線による受信を制御する。
【００３８】
一方メモリ１３には、管理サーバＳＶから無線インターフェース１０を介して作業指示データが送信されてきた場合、当該送信されてきた作業指示データが一時的又は不揮発性に記憶される。更にメモリ１３には、上記コード情報ＣＤを構成するための上記識別データが不揮発性に記憶されている。そしてＣＰＵ１１は、作業台Ｗが書き換え領域ＡＲに移動したことによりその書き換え領域ＡＲに対応した工程においてディスプレイＤに表示されるべき作業指示ＩＴに相当する作業指示データが管理サーバＳＶから送信されてくると、図２（ｂ）に例示するように、それまでディスプレイＤに表示されていた作業指示ＩＴ（図２（ｂ）に例示する作業指示ＩＴｎ−１に相当）をディスプレイＤ上から消去し、その後コード情報ＣＤを上記所定時間だけディスプレイＤに表示し、更に当該所定時間経過後にそのコード情報ＣＤを消去して、上記新たに送信されてきた作業指示データに相当する作業指示ＩＴ（図２（ｂ）に例示する作業指示ＩＴｎに相当）をディスプレイＤ上に表示する。このとき表示されたコード情報ＣＤがコードリーダＣＲにより読み取られ、その読取データが管理サーバＳＶに送信される。この他ＣＰＵ１１は、それが備えられている作業台Ｗとしての工程間移動等を統括制御する。
【００３９】
次に、上述してきた実施形態に係る作業指示システムＳにおける作業指示処理について、纏めて図５を用いて説明する。
【００４０】
管理サーバＳＶにおける実施形態に係る作業指示処理は、例えば管理サーバＳＶに対して電源が投入されたタイミングから開始される。管理サーバＳＶにおいて新たな作業指示データＤＴが生成されて記録部３に記録されると（ステップＳ１）、ＣＰＵ２は、当該作業指示データに相当する作業指示ＩＴを表示すべき作業台Ｗに宛てて、その作業指示データを送信する（ステップＳ２）。その後ＣＰＵ２は、コードリーダＣＲからの読取データの送信を待機する（ステップＳ３、Ｓ３；ＮＯ）。
【００４１】
一方各作業台Ｗにおける実施形態に係る作業指示処理は、例えば作業台Ｗに対して電源が投入されたタイミングから開始される。作業指示処理が開始されると、作業台ＷのＣＰＵ１１は、当該作業台Ｗを、必要な工程が実行される所定の位置（書き換え領域ＡＲの位置を含む）に移動させつつ、管理サーバＳＶからの新たな作業指示データの送信を待機する（ステップＳ２０）。ステップＳ２０の待機中に新たな作業指示データが受信されない場合（ステップＳ２０；ＮＯ）、ＣＰＵ１１は後述するステップＳ２４に移行する。
【００４２】
他方、ステップＳ２０の判定において、新たな作業指示データが受信された場合（ステップＳ２０；ＹＥＳ）、ＣＰＵ１１は、それまでディスプレイＤに表示していた他の作業指示ＩＴ（図２（ｂ）に例示する作業指示ＩＴｎ−１に相当）を消去し、ＣＰＵ１１が備えられている作業台Ｗに対応するコード情報ＣＤをディスプレイＤ上に表示し（ステップＳ２１）、その表示を上記所定時間だけ継続する（ステップＳ２２）。このとき、例えば上記バッテリの残量を示すデータをそのコード情報ＣＤに含ませる場合、ＣＰＵ１１は当該残量を検出してそれに対応したコード情報ＣＤを生成する。次にＣＰＵ１１は、上記所定時間経過後にコード情報ＣＤをディスプレイＤ上から消去し、その後、先に受信した作業指示データに相当する新たな作業指示ＩＴをそのディスプレイＤに表示する（図１又は図２参照。ステップＳ２３）。その後ＣＰＵ１１は、作業台Ｗの電源がオフとされたか否かを判定し（ステップＳ２４）、電源がオフとされたときは（ステップＳ２４；ＹＥＳ）、作業台Ｗとしての実施形態に係る作業指示処理を終了する。またステップＳ２４の判定において電源がオフとされない場合（ステップＳ２４；ＮＯ）、ＣＰＵ１１は上記ステップＳ２０の処理に戻り、新たな作業指示データの受信を待機する。
【００４３】
次に各コードリーダＣＲにおける実施形態に係る作業指示処理は、例えばコードリーダＣＲに対して電源が投入されたタイミングから開始される。当該作業指示処理が開始されると、各コードリーダＣＲは、その読取範囲内にコード情報ＣＤとしてのバーコード等が検出されるか否かの監視を開始し、当該コード情報ＣＤが検出された場合はそのコード情報ＣＤを読み取り（ステップＳ１０）、その結果としての読取データを管理サーバＳＶに送信する（ステップＳ１１）。その後コードリーダＣＲは、その電源がオフとされたか否かを判定し（ステップＳ１２）、電源がオフとされたときは（ステップＳ１２；ＹＥＳ）、コードリーダＣＲとしての実施形態に係る作業指示処理を終了する。またステップＳ１２の判定において電源がオフとされない場合（ステップＳ１２；ＮＯ）、コードリーダＣＲは次の読み取りに備える。
【００４４】
次に、管理サーバＳＶのＣＰＵ２は、コードリーダＣＲから読取データが送信されてくると（ステップＳ３；ＹＥＳ）、読取データに含まれているコード情報ＣＤを判読し（ステップＳ４）、その内容を記録部３に蓄積する（ステップＳ５）。その後ＣＰＵ２は、管理サーバＳＶの電源がオフとされたか否かを判定し（ステップＳ６）、電源がオフとされたときは（ステップＳ６；ＹＥＳ）、管理サーバＳＶとしての実施形態に係る作業指示処理を終了する。またステップＳ６の判定において電源がオフとされない場合（ステップＳ６；ＮＯ）、ＣＰＵ２は上記ステップＳ１の処理に戻り、新たな作業指示データの生成等を待機する。
【００４５】
以上説明したように、実施形態に係る作業指示システムＳの動作及び処理によれば、作業台Ｗに表示させるべき作業指示ＩＴの表示の前にコード情報ＣＤをディスプレイＤに表示し、そのコード情報ＣＤをコードリーダＣＲで読み取った読取データを管理サーバＳＶにおいて取得し、それに含まれているコード情報ＣＤを記録する。このとき作業台ＷのディスプレイＤにおいては、コード情報ＣＤのみの表示に一旦書き換えられた後、新たな作業指示ＩＴのみの表示に更に切り換えられる。更にコード情報ＣＤが、作業指示とは異なり且つ作業台Ｗに記録されている情報（例えば識別データ又は検出後の上記バッテリの残量を示すデータ）に基づくコード情報ＣＤとされる。よって、作業台Ｗにおいてコード情報ＣＤのみが表示されていることが管理サーバＳＶにおいて認識できるので、コード情報ＣＤの表示までに表示されていた他の作業指示ＩＴが消去されていることを管理サーバＳＶにおいて認識することができる。
【００４６】
また、コード情報ＣＤが作業台Ｗの電源状態を示すデータ又は識別データの少なくともいずれか一方であるので、管理サーバＳＶにおいて当該電源状態等を認識することができる。
【００４７】
更に各作業台Ｗにおいては、管理サーバＳＶから作業指示データを取得したとき、コード情報ＣＤのみを一旦表示した後、取得した作業指示データに相当する作業指示ＩＴに書き換えるので、コード情報ＣＤの表示までに表示されていた他の作業指示ＩＴが消去されていることを管理サーバＳＶに認識させることができる。
【００４８】
なお図５に示すフローチャートに対応するプログラムを、例えば光ディスク等の記録媒体に記録しておき、或いは例えばインターネット等のネットワークから取得して記録しておき、これらを汎用のマイクロコンピュータ等で読み出して実行させることにより、当該マイクロコンピュータ等を、実施形態に係るＣＰＵ２及びＣＰＵ１１として機能させるように構成してもよい。
【産業上の利用可能性】
【００４９】
以上それぞれ説明したように、本発明は作業指示システムの分野に利用することが可能であり、特にいわゆる流れ作業による製造ラインにおける各工程の作業員に作業内容を指示する作業指示システムの分野に適用すれば特に顕著な効果が得られる。
【符号の説明】
【００５０】
１Ｗ、１０    無線インターフェース
１Ｌ    有線インターフェース
２、１１    ＣＰＵ
３    記録部
４、１２    操作部
５、Ｄ    ディスプレイ
１３    メモリ
Ｓ    作業指示システム
Ｌ    製造ライン
ＯＢ    半製品
Ｗ、Ｗ１、Ｗ２、Ｗ３、Ｗｎ    作業台
ＳＶ    管理サーバ
ＣＲ、ＣＲ１、ＣＲ２、ＣＲ３、ＣＲｎ    コードリーダ
Ｄ、Ｄ１、Ｄ２、Ｄ３、Ｄｎ    ディスプレイ
ＩＴ、ＩＴ１、ＩＴ２、ＩＴ３、ＩＴｎ−１、ＩＴｎ    作業指示
ＡＲ    書き換え領域
【図１】
2016057955.tif 000003
【図２】
2016057955.tif 000004
【図３】
2016057955.tif 000005
【図４】
2016057955.tif 000006
【図５】
2016057955.tif 000007